(57)【要約】【課題】  複数の入力端子の中から選択された信号を入力するための入力端子を容易に識別することができる映像表示装置を提供すること。【解決手段】  プロジェクタ１００の制御部１８は、複数の映像ソース「コンピュータ」、「コンポーネントビデオ」、「Ｓビデオ」、「ビデオ」の中から、投写される映像ソースが選択されると、選択された映像ソースの映像信号に対応した接続端子近傍の発光体としてのＬＥＤ３３，３６，３９，４１を点滅させ、視覚的に選択された入力端子の位置を知らしめる。【選択図】      図２
2006133557.tif 000002
【特許請求の範囲】
【請求項１】
映像を表示する表示部と、
映像を規定する映像信号を入力するための複数の入力端子と、
それぞれの前記入力端子の近傍に設置される発光体と、
前記発光体の点灯および消灯を制御する制御部と、を備え、
前記制御部は、前記表示部に表示される映像に対応する映像信号を映像信号の形式および同一形式の映像信号の入力数ごとに区分した映像ソースが選択されると、選択された前記映像ソースに対応する前記入力端子近傍の発光体を点灯または点滅させることを特徴とする映像表示装置。
【請求項２】
前記映像ソースから前記映像信号が入力しているか否かを前記映像信号を含む信号の有無により判別する判別部を、さらに備え、
前記制御部は、前記判別部から前記映像信号の入力が有ることを示す判別信号を受信すると、前記発光体を異なる点灯態様に変化させることを特徴とする請求項１に記載の映像表示装置。
【請求項３】
前記発光体は、それぞれの個体毎に複数の色調を発色可能に設けられ、
前記制御部は、さらに前記発光体の色調を変化させることを特徴とする請求項１または２に記載の映像表示装置。
【請求項４】
前記発光体は、前記映像表示装置の通常の設置状態における、それぞれの入力端子の上方または横に設けられることを特徴とする請求項１〜３のいずれか一項に記載の映像表示装置。
【請求項５】
請求項１〜４のいずれか一項に記載の映像表示装置は、光を供給する光源部と、光源部からの光を映像を表す映像信号に応じて変調する表示部としての光変調素子と、を備えた映像を投写するプロジェクタであることを特徴とする映像表示装置。
【請求項６】
請求項１〜４のいずれか一項に記載の映像表示装置は、光を供給する光源部と、光源部からの光を映像を表す映像信号に応じて変調する光変調素子と、映像を写し出す表示部としてのスクリーンと、を備え、背面に複数の入力端子を配置し、映像をスクリーンに投写するリアプロジェクタであることを特徴とする映像表示装置。
【発明の詳細な説明】
【技術分野】
【０００１】
本発明は、外部電子機器と電気的に接続するための複数の入力端子を備えた映像表示装置に関する。
【背景技術】
【０００２】
液晶テレビや、プロジェクタなどの映像表示装置は、例えば、ＰＣ（パーソナルコンピュータ）やＤＶＤ（Digital Versatile Disk）プレーヤなど、複数の外部電子機器と接続し、様々な形式の映像信号の供給を受けることにより、プレゼンテーションを行ったり、映画などの映像を鑑賞したりすることができる。例えば、特許文献１のリアプロジェクタは、前述した種々の外部電子機器と接続するための複数の入力端子を備えている。
【０００３】
また、特許文献２には、複数の映像信号入力端子を備え、どの入力端子に映像信号が入力されているか常に検出することによって、あらかじめ設定した表示モードに沿って、例えば、入力映像ソースの選択状況を、主映像表示に重畳させて表示するＯＳＤ（On-Screen Display）機能により知らしめることができるテレビ受信機が開示されている。
【０００４】
【特許文献１】特開２００３−２７４３１６号公報（第９図）
【特許文献２】特開２００１−１５７１３５号公報
【発明の開示】
【発明が解決しようとする課題】
【０００５】
しかしながら、電子機器の操作に不慣れな使用者は、特許文献１のリアプロジェクタに外部電子機器を接続する場合、リアプロジェクタがどの入力端子からの映像信号を表示するようにソースモード設定されているのか、例えば、特許文献２のテレビ受信機のようなＯＳＤ表示で読み取ったとしても、似通った外観の複数の入力端子があるため、どれが該当する入力端子なのか迷ってしまうという問題点がある。
【０００６】
上記課題を解決するために、本発明では、複数の接続端子の中から選択された信号を入力するための入力端子を容易に識別することができる映像表示装置を提供することを目的とする。
【課題を解決するための手段】
【０００７】
前記目的を達成するために、本発明に係る映像表示装置は、映像を表示する表示部と、映像を規定する映像信号を入力するための複数の入力端子と、それぞれの入力端子の近傍に設置される発光体と、発光体の点灯および消灯を制御する制御部と、を備え、制御部は、表示部に表示される映像に対応する映像信号を映像信号の形式および同一形式の映像信号の入力数ごとに区分した映像ソースが選択されると、選択された映像ソースに対応する入力端子近傍の発光体を点灯または点滅させることを特徴とする。
【０００８】
本発明の映像表示装置によれば、映像表示装置の制御部は、映像ソースが選択されると、選択された映像ソースに対応する入力端子近傍の発光体を点灯または点滅させることから、どれが選択された映像ソースに対応する入力端子なのか迷ってしまう従来のリアプロジェクタと異なり、発光体の点灯または点滅により視覚的に選択された入力端子の位置を知らしめる。従って、複数の入力端子の中から選択された映像信号を入力するための入力端子を容易に識別できる映像表示装置を提供することができる。
【０００９】
本発明に係る映像表示装置は、映像ソースから映像信号が入力しているか否かを映像信号を含む信号の有無により判別する判別部を、さらに備え、制御部は、判別部から映像信号の入力が有ることを示す判別信号を受信すると、発光体を異なる点灯態様に変化させることが好ましい。
【００１０】
この構成によれば、映像表示装置の制御部は、判別部から映像信号の入力が有ることを示す判別信号を受信すると、発光体の点灯を異なる態様に変えることから、発光体の点灯または点滅により視覚的に選択された入力端子への映像信号の入力の有無を知らしめる。従って、映像信号が入力端子に入力しているかどうかを容易に判別できる映像表示装置を提供することができる。
【００１１】
本発明に係る映像表示装置によれば、発光体は、それぞれの個体毎に複数の色調を発色可能に設けられ、制御部は、さらに発光体の色調を変化させることが好ましい。
【００１２】
この構成によれば、発光体は、それぞれの個体毎に複数の色調を発色可能であることから、点灯または点滅に加えて、色調により選択された入力端子の位置や、入力端子への映像信号の入力の有無を知らしめる。従って、色調により視覚的により識別し易く、選択された入力端子の位置および入力端子への映像信号の入力の有無を知らしめることが可能な映像表示装置を提供することができる。
【００１３】
本発明に係る映像表示装置によれば、発光体は、映像表示装置の通常の設置状態における、それぞれの入力端子の上方または横に設けられることが好ましい。
【００１４】
この構成によれば、映像ソースとしての外部電子機器からの接続ケーブルが入力端子に接続されたときに、発光体は、接続ケーブルの上方または横に位置することになる。よって、接続ケーブルの入力端子への接続作業で、映像表示装置の背面上方から複数の入力端子を眺めたときに、接続ケーブルにより視界を妨げられることなく、発光体を視認することができる。従って、接続ケーブルにより視界を妨げられることなく、選択された入力端子の位置および入力端子への映像信号の入力の有無を知らしめることが可能な映像表示装置を提供することができる。
【００１５】
本発明に係る映像表示装置は、光を供給する光源部と、光源部からの光を映像を表す映像信号に応じて変調する表示部としての光変調素子と、を備えた映像を投写するプロジェクタであることが好ましい。
【００１６】
本発明に係る映像表示装置は、光を供給する光源部と、光源部からの光を映像を表す映像信号に応じて変調する光変調素子と、映像を写し出す表示部としてのスクリーンと、を備え、背面に複数の入力端子を配置し、映像をスクリーンに投写するリアプロジェクタであることが好ましい。
【発明を実施するための最良の形態】
【００１７】
以下、添付図面に基づいて、本発明の実施形態を詳細に説明する。
【００１８】
（実施形態１）
【００１９】
《プロジェクタ使用概要》
図１は、本発明の一実施形態におけるプロジェクタの使用概要図である。プロジェクタ１００は、例えばＰＣ（パーソナルコンピュータ）５１、ＤＶＤ（Digital Versatile Disk）プレーヤ５２、Ｓビデオ（Ｓ信号ビデオテープレコーダ）５３、ビデオ（ビデオテープレコーダ）５４などの外部電子機器から、様々な形式の映像信号の供給を受け、その中の、選択された映像信号の映像を投写する。
図１において、ＰＣ５１からの映像信号の形式はアナログＲＧＢ信号であり、プロジェクタ１００は、アナログＲＧＢ信号によりプレゼンテーション用の映像をスクリーンＳＣに投写している。アナログＲＧＢ信号は、光の３原色であるＲ（赤）、Ｇ（緑）、Ｂ（青）成分ごとの映像信号を独立した信号線により伝達するため、高画質が得られる。スクリーンＳＣの左上には、選択されている映像ソースを示す「コンピュータ」という文字がＯＳＤ（On-Screen Display）機能により主映像に重畳して表示されている。
映像ソースとは、スクリーンＳＣに表示される映像に対応する映像信号を映像信号の形式および同一形式の映像信号の入力数ごとに区分したものであり、ここでは、「コンピュータ」が映像ソースである。映像ソースの詳細については後述する。
【００２０】
プロジェクタ１００は、プロジェクタ１００の天面に設けられた複数の操作用ボタンを備えた操作部１や、リモコン２によって操作することができる。操作部としての操作部１およびリモコン２には、プロジェクタ１００を起動および終動させるための「電源ボタン」や、複数の外部電子機器からの入力映像信号を切替える「入力切替ボタン」、各種機能を選択する「十字型ボタン」などの複数のスイッチ（いずれも図示せず。）が設けられている。
プロジェクタ１００の背面には、外部電子機器から映像信号などを入力する複数の入力端子や、プロジェクタ１００から外部電子機器に映像情報などを出力する複数の出力端子などを備えた、入出力端子部３が設けられている。プロジェクタ１００と、それぞれの外部電子機器とは、入出力端子部３に接続された接続ケーブル４により電気的に接続している。
【００２１】
プロジェクタ１００に入力される映像信号の形式には、前述したアナログＲＧＢ信号の他に、コンポーネント信号と、Ｓ（Separate）信号と、コンポジット信号がある。
コンポーネント信号は、例えばハイビジョン放送に代表され、輝度情報を持つ輝度信号と、輝度信号と赤色信号との差を取った赤色差信号と、輝度信号と青色信号との差を取った青色差信号という３つの信号から構成され、３本の信号線により伝達される。図１において、ＤＶＤプレーヤ５２は、映画のＤＶＤを再生しており、再生映像をコンポーネント信号により出力している。
Ｓ信号は、輝度情報を持つ信号と、色情報を持つ信号とを分離して伝送する。図１において、Ｓビデオ５３は、ビデオテープに録画された映像を再生しており、再生映像をＳ信号により出力している。
コンポジット信号は、従来の地上波ＴＶ放送に代表され、輝度情報を持つ信号と、色情報を持つ信号とを複合化し、１本の信号線により映像を伝達する。図１において、ビデオ５４は、地上波ＴＶ放送を録画中であり、録画中のＴＶ放送をコンポジット信号により出力している。
【００２２】
ここでは、外部電子機器からの複数の映像信号を、映像ソースとして、ＰＣ５１からのアナログＲＧＢ信号を「コンピュータ」、ＤＶＤプレーヤ５２からのコンポーネント信号を「コンポーネントビデオ」、Ｓビデオ５３からのＳ信号を「Ｓビデオ」、ビデオ５４からのコンポジット信号を「ビデオ」と区分する。この場合、同一信号形式の映像信号がそれぞれ１入力であるため、それぞれの映像信号を表す映像ソースは単数となっているが、例えば、アナログＲＧＢ信号が２系統入力する場合、映像ソースは、それぞれ「コンピュータ１」、「コンピュータ２」として表される。
プロジェクタ１００は、例えばリモコン２の「入力切替ボタン」が操作されると、複数の映像ソースを、「コンピュータ」→「コンポーネントビデオ」→「Ｓビデオ」→「ビデオ」→「コンピュータ」と、サイクリックに切替える。
このとき、ＯＳＤ機能によりスクリーンＳＣに重畳される表示も、「コンピュータ」→「コンポーネントビデオ」→「Ｓビデオ」→「ビデオ」→「コンピュータ」と、映像ソースの切替えと同期して変化する。
【００２３】
《プロジェクタの構成》
図２は、プロジェクタ１００の概略構成を示すブロック図である。以下、プロジェクタ１００の概略構成について、図２を主体とし、図１を適宜交えて説明する。
プロジェクタ１００は、光源としてのランプ６が放射した光を、赤色光、青色光、緑色光の光の３原色成分に分離し、各色光毎に表示部としての各色光用の液晶ライトバルブ７Ｒ，７Ｇ，７Ｂにより映像信号に応じて変調し、再度合成してスクリーンＳＣに投写する、いわゆる「液晶３板式プロジェクタ」である。
【００２４】
プロジェクタ１００は、前述した操作部１、リモコン２、入出力端子部３に加えて、ランプ６、液晶ライトバルブ７Ｒ，７Ｇ，７Ｂ、入力セレクタ８、判別部９、映像コンバータ１０、映像信号処理部１１、映像メモリ１２、映像補正部１３、ＯＳＤメモリ１４、液晶パネル駆動部１５、ＬＥＤ駆動部１６、操作受付け部１７、制御部１８、記憶部１９、電源部２０、ランプ駆動部２１、光学部２２、投写レンズ２６などから構成されている。
ランプ６は、例えば、高圧水銀ランプや、メタルハライドランプ及びハロゲンランプなどの高輝度が得られる放電式ランプである。
光変調素子である液晶ライトバルブ７Ｒ，７Ｇ，７Ｂは、それぞれが赤色光用、緑色光用、青色光用であり、後述する光学部２２の構成に含まれている。
【００２５】
入力セレクタ８には、映像ソース「コンピュータ」のアナログＲＧＢ信号、「コンポーネントビデオ」のコンポーネント信号、「Ｓビデオ」のＳ信号、「ビデオ」のコンポジット信号などの複数の映像信号が入力する。入力セレクタ８は、これらの複数の映像ソースの中から、１つの映像ソースによる映像信号を選択して、映像信号Ｖinとして出力する。プロジェクタ１００の出荷段階におけるデフォルト値の映像ソースは、「コンピュータ」となっている。プロジェクタ１００が起動した後は、前述した通り、例えばリモコン２の「入力切替ボタン」の操作により映像ソースをサイクリックに選択できる。プロジェクタ１００の電源オフ時には、電源オフの時点で選択されていた映像ソース情報が後述する記憶部１９に記憶され、次回起動時において再現される。
【００２６】
判別部９は、映像信号が映像ソースから供給されているか否かを、例えば入力セレクタ８で選択された映像信号Ｖinに含まれている同期信号の有無を確認することにより、判別し、映像信号Ｖinの入力の有無を伝える判別信号を後述する制御部１８に送る。
映像コンバータ１０は、映像信号Ｖinに後述する様々な映像信号処理を施すことができるように、映像信号Ｖinに、映像信号Ｖinをアナログ信号からデジタル信号に変換するＡ／Ｄ変換処理などを施し、デジタル映像信号Ｄinとして出力する。
具体的には、映像コンバータ１０は、映像信号Ｖinが映像ソース「コンピュータ」のアナログＲＧＢ信号または、「コンポーネントビデオ」のコンポーネント信号の場合は、そのままＡ／Ｄ変換処理を含む映像信号処理を施す。映像信号Ｖinが映像ソース「Ｓビデオ」のＳ信号または、「ビデオ」のコンポジット信号の場合は、内蔵するデコーダにより、コンポーネント信号に変換してからＡ／Ｄ変換処理を含む映像信号処理を施す。
【００２７】
映像信号処理部１１は、映像コンバータ１０から入力するデジタル映像信号Ｄinを、液晶ライトバルブ７Ｒ，７Ｇ，７Ｂで表示するのに適した信号とするために、映像データを映像メモリ１２に書き込み、所定の条件で読み出すなどの映像信号処理を行う。映像信号処理には、映像信号Ｄinで表される映像を拡大および縮小することにより液晶ライトバルブ７Ｒ，７Ｇ，７Ｂの持つ解像度に合わせるスケーリング処理や、１秒間における描画更新回数を示すフレームレート変換などが含まれる。映像信号Ｄinは、このような映像信号処理が施され、デジタル映像信号Ｄscとして出力される。
【００２８】
映像補正部１３は、映像信号処理部１１からのデジタル映像信号Ｄscに、映像信号Ｄscの有する階調値を液晶ライトバルブ７Ｒ，７Ｇ，７Ｂで表示するのに適した階調値に変換するγ補正や、液晶ライトバルブ７Ｒ，７Ｇ，７Ｂに固有の輝度むらなどに起因する色むら補正処理を施し、映像信号Doutとして出力する。
さらに映像補正部１３は、後述する制御部１８からの映像信号Doutに定型文字情報を重畳させるためのＯＳＤ（On-Screen Display）コマンドにより、例えば、入力映像ソースの選択状況や、各種操作による動作状況等を、映像信号Doutで表される映像に重畳するＯＳＤ機能のための映像処理を施す。ＯＳＤ機能において、投写映像に重畳される「コンピュータ」などのＯＳＤ表示情報や、映像信号が入力されていないときの待ち受け画面表示などは、映像補正部１３と接続するＯＳＤメモリ１４に格納されている。映像補正部１３は、制御部１８からのＯＳＤコマンドにより、ＯＳＤメモリ１４から該当するＯＳＤ表示情報を引き当て、映像信号Doutに加えて出力する。
【００２９】
液晶パネル駆動部１５は、液晶ライトバルブ７Ｒ，７Ｇ，７Ｂに映像補正部１３から入力した映像信号Doutと、駆動電圧などを供給し、液晶ライトバルブ７Ｒ，７Ｇ，７Ｂに映像を写し出す。
ＬＥＤ駆動部１６は、後述する入出力端子部３に設けられた発光体としての複数のＬＥＤ（Light Emitting Diode）の点灯および消灯を行うトランジスタなどのスイッチング素子を含む点灯駆動回路である。ＬＥＤ駆動部１６は、後述する制御部１８からのそれぞれのＬＥＤの点灯態様や、色調選択などを制御する点灯態様コマンドにより、それぞれのＬＥＤの色調を選択し、点灯、点滅および消灯する。
操作受付け部１７は、操作部１への操作または、リモコン２への操作がなされると、操作を受付け、後述する制御部１８へ各種動作のトリガとなる操作信号を送る。
【００３０】
制御部１８は、ＣＰＵ（Central Processing Unit）であり、バスラインＢusを介して、各部との信号のやり取りを行い、また、操作受付け部１７からの操作信号などに沿って各部の動作を制御する。
例えば、制御部１８は、リモコン２の「入力切替ボタン」の操作により操作受付け部１７から操作信号が入力すると、操作に応じて、映像ソースの選択を行う選択コマンドを入力セレクタ８に送る。さらに、制御部１８は、後述する記憶部１９から選択された映像ソースに対応する入出力端子部３のＬＥＤの点灯態様データを読み出し、前記選択コマンドに同期して、ＬＥＤ駆動部１６に点灯態様コマンドを送る。
また、制御部１１は、前述したＯＳＤ機能を司る。例えば、選択された映像ソースに該当するＯＳＤ表示情報を映像メモリ１２から引き当てるための情報を含んだＯＳＤコマンドを、前記選択コマンドに同期して、映像補正部１３に送る。
【００３１】
記憶部１９は、例えば、フラッシュメモリなどデータの書き換えが可能な不揮発性のメモリにより構成されている。記憶部１９には、例えば、プロジェクタ１００を起動させるときの起動ルーチンや、プロジェクタ１００の動作を制御するための様々な動作ルーチンなどのプログラム、および、映像ソースが選択されたときの、入出力端子部３のＬＥＤの点滅周期や色調などの点灯態様データを含む各種情報が記憶されている。
【００３２】
電源部２０は、外部電源２７からの交流電力をプラグから導き、内蔵するＡＣ／ＤＣ変換部（いずれも図示せず）にて変圧、整流および平滑するなどの処理を施すことにより安定化させた直流電圧をプロジェクタ１００の各部に供給する。
ランプ駆動部２１は、電源部２０からの電力供給を受け、放電式ランプであるランプ６を点灯するために高電圧を発生して放電経路を形成するイグナイタ回路と、点灯後の安定した点灯状態を維持するためのバラスト回路（いずれも図示せず）を備えている。
【００３３】
光学部２２は、ランプ６が放射する白色光を輝度分布の安定した略平行光に変換するインテグレータ光学系と、輝度分布の安定した白色光を光の３原色である赤色、緑色、青色の各色光成分に分離して各色光用の液晶ライトバルブ７Ｒ，７Ｇ，７Ｂに供給する分離光学系（いずれも図示せず）と、液晶ライトバルブ７Ｒ，７Ｇ，７Ｂにて各色光毎に映像信号Doutに応じて変調された各色光を、再度合成する合成光学系とを含んで構成されている。なお、インテグレータ光学系および分離光学系については、本発明の本旨ではないため、詳細な説明を省略する。
液晶ライトバルブ７Ｒ，７Ｇ，７Ｂからの各色光毎の変調光は、青色光を反射し緑色光を透過するダイクロイック膜２３と、赤色光を反射し緑色光を透過するダイクロイック膜２４と、を備える合成光学系としてのクロスダイクロイックプリズム２５により合成され、映像信号Doutに応じて変調されたフルカラーで略平行光の変調光として射出される。
【００３４】
投写レンズ２６は、凸レンズなどから構成されており、クロスダイクロイックプリズム２５からの変調光を拡大して投写光とし、スクリーンＳＣに映像を投写する。投写レンズ２６は、投写光の拡大率を調整するズーム機能や、投写光の焦点を調整するフォーカス機能を有している。
【００３５】
《入出力端子部の第１の態様》
図３は、プロジェクタ１００の入出力端子部の第１の態様についての概要図である。実際の入出力端子部には、ＰＣとの情報の授受を行うためのＵＳＢ（Universal Serial Bus）端子や、ＰＣでプロジェクタ１００の表示画質モード調整を行う際に使用するＲＳ２３２Ｃ端子などが具備されているが、図３では、説明を簡単にするために、映像ソースからの入力端子関係部位のみを抜粋して図示している。以下、入出力端子部３の概略構成について、図３を主体に、適宜図２を交えて説明する。
【００３６】
入出力端子部３は、Ｄsub端子３１、Ａｕｄｉｏ端子３２、ＬＥＤ３３、Ｄ端子３４、音声端子３５、ＬＥＤ３６、Ｓ端子３７、音声端子３８、ＬＥＤ３９，１ＲＣＡ端子４０、ＬＥＤ４１などから構成されている。
Ｄsub端子３１は、ミニＤ-sub１５ピン端子であり、１５本の独立した信号線を備えており、アナログＲＧＢ信号に対応している。１５本の信号線のそれぞれに、ＲＧＢ成分ごとの映像信号、水平同期信号、垂直同期信号、ディスプレイとのデータ通信ポートＤＤＣ（Display Data Channel）のデジタル信号などが割り当てられている。Ａｕｄｉｏ端子３２は、ステレオミニジャックであり、ステレオ音声信号に対応している。Ｄsub端子３１と、Ａｕｄｉｏ端子３２とのセットで、映像ソース「コンピュータ」からの映像と音声との入力ができる。
ＬＥＤ３３は、緑色の発光をするＬＥＤであり、Ｄsub端子３１近傍の左斜め上方に設けられている。
【００３７】
Ｄ端子３４は、Ｄ４端子であり、７２０プログレッシブまでのコンポーネント信号に対応している。信号線としては、輝度信号と、赤色差信号、青色差信号の３本が含まれ、走査線、アスペクト比、インターレース／プログレッシブ情報なども伝達可能である。音声端子３５は、２ＲＣＡ端子であり、ステレオ音声信号に対応している。Ｄ端子３４と、音声端子３５とのセットで、映像ソース「コンポーネントビデオ」からの映像と音声との入力ができる。
ＬＥＤ３６は、緑色の発光をするＬＥＤであり、Ｄ端子３４近傍の左斜め上方に設けられている。
【００３８】
Ｓ端子３７は、Ｓ端子であり、Ｓ信号に対応している。信号線としては、輝度信号と、色信号との２本が含まれている。音声端子３８は、２ＲＣＡ端子であり、ステレオ音声信号に対応している。Ｓ端子３７と、音声端子３８とのセットで、映像ソース「Ｓビデオ」からの映像と音声との入力ができる。
ＬＥＤ３９は、緑色の発光をするＬＥＤであり、Ｓ端子３７近傍の右斜め上方に設けられている。
【００３９】
１ＲＣＡ端子４０は、１ＲＣＡ端子であり、コンポジット信号に対応している。信号線は単線である。音声端子は、音声端子３８を共用している。１ＲＣＡ端子４０と、音声端子３８とのセットで、映像ソース「ビデオ」からの映像と音声との入力ができる。
ＬＥＤ４１は、緑色の発光をするＬＥＤであり、１ＲＣＡ端子４０近傍の左斜め上方に設けられている。
【００４０】
《入力切替え時のＬＥＤ点灯態様》
図４は、映像ソースの入力切替え時の動作フローチャートである。以下、図４を主体に、適宜図３および図２を交えて説明する。初期状態として、プロジェクタ１００は、外部電源２７から交流電力の供給がなされ、入出力端子部３には、何も接続されていない。記憶部１９の映像ソースの選択記憶は、デフォルト値の「コンピュータ」となっている。
ここで、リモコン２の「電源ボタン」が操作されて、操作受付け部１７からの操作信号により、制御部１８は、記憶部１９から起動ルーチンを読み込み、プロジェクタ１００は起動する。
【００４１】
ステップＳ１では、制御部１８は、読み込んだ起動ルーチンに従い、映像ソース「コンピュータ」を選択するための選択コマンドを入力セレクタ８に送る。さらに、制御部１８は、記憶部１９から「コンピュータ」に対応するＬＥＤ３３を点滅表示させるための、点滅コマンドをＬＥＤ駆動部１６に送る。入力セレクタ８は、制御部１８からの選択コマンドにより、映像ソース「コンピュータ」を選択する。ＬＥＤ駆動部１６は、制御部１８からの点滅コマンドにより、ＬＥＤ３３を点滅表示させる。点滅周期は、例えば、２Hzである。
【００４２】
また、制御部１８は、映像ソース「コンピュータ」に該当するＯＳＤ表示情報をＯＳＤメモリ１４から引き当てるための情報を含んだＯＳＤコマンドを、点滅コマンドに同期して、映像補正部１３に送る。映像補正部１３は、制御部１８からのＯＳＤコマンドにより、映像信号Ｄoutで表される映像に「コンピュータ」という文字を重畳させる。この段階で、Ｄsub端子３１には、何も接続されていないため、投写される映像は、例えば、主映像がデフォルト値の青色の無地表示であり、「コンピュータ」という文字が左上に黄色い文字で重畳されている。
【００４３】
ステップＳ２では、制御部１８は、操作部１またはリモコン２の「入力切替ボタン」の操作が行われたか否か、操作受付け部１７からの操作信号により判断する。操作が有った場合には、ステップＳ５へ進む。ここでは、操作が無かったため、ステップＳ３へ進む。なお、ステップＳ２での操作検出は、常時行なわれており、例えば後述するステップＳ３〜Ｓ４の動作処理中であっても、優先して映像ソースの入力切替処理がなされる。
ステップＳ３では、Ｄsub端子３１に「コンピュータ」からの接続ケーブルが接続された。
ステップＳ４では、接続された接続ケーブルを介して入力する「コンピュータ」のＲＧＢ信号である映像信号Ｖinは、映像コンバータ１０、映像信号処理部１１などで映像信号処理を施された後、映像信号Ｄoutとして出力され、スクリーンＳＣに映像信号Ｄoutにて表されるプレゼンテーション映像などを写し出す。なお、この段階でも、投写される主映像には、「コンピュータ」という文字が重畳されているが、例えば、リモコンの「ＯＳＤ表示ボタン」を操作することにより、ＯＳＤ表示を消すことが可能である。この操作は、「コンピュータ」表示のみに限定されず、他のＯＳＤ表示であっても同様に機能する。
【００４４】
続いて、ステップＳ２において、「入力切替ボタン」の操作が有った場合の処理について説明する。
ステップＳ５では、制御部１８は、「入力切替ボタン」の操作により操作受付け部１７から操作信号が入力すると、記憶部１８から次に選択される映像ソース情報を引き当て、、「コンポーネントビデオ」を選択するための選択コマンドを入力セレクタ８に送る。さらに、制御部１８は、記憶部１９から「コンポーネントビデオ」に対応するＬＥＤ３６を点滅表示させるための、点滅コマンドをＬＥＤ駆動部１６に送る。入力セレクタ８は、制御部１８からの選択コマンドにより、映像ソース「コンポーネントビデオ」を選択する。ＬＥＤ駆動部１６は、制御部１８からの点滅コマンドにより、ＬＥＤ３６を点滅表示させる。点滅周期は、例えば、２Hzである。
【００４５】
また、制御部１８は、映像ソース「コンポーネントビデオ」に該当するＯＳＤ表示情報をＯＳＤメモリ１４から引き当てるための情報を含んだＯＳＤコマンドを、点滅コマンドに同期して、映像補正部１３に送る。映像補正部１３は、制御部１８からのＯＳＤコマンドにより、映像信号Ｄoutで表される映像に「コンポーネントビデオ」という文字を重畳させる。この段階で、Ｄsub端子３１には、何も接続されていないため、投写される映像は、例えば、主映像がデフォルト値の青色の無地表示であり、「コンポーネントビデオ」という文字が左上に黄色い文字で重畳される。
【００４６】
ステップＳ６では、制御部１８は、操作部１またはリモコン２の「入力切替ボタン」の操作が行われたか否か、操作受付け部１７からの操作信号により判断する。操作が有った場合には、ステップＳ９へ進む。ここでは、操作が無かったため、ステップＳ７へ進む。
ステップＳ７では、Ｄ端子３４に「コンポーネントビデオ」からの接続ケーブルが接続された。
ステップＳ８では、接続された接続ケーブルを介して入力する「コンポーネントビデオ」のコンポーネント信号である映像信号Ｖinは、映像コンバータ１０、映像信号処理部１１などで映像信号処理を施された後、映像信号Ｄoutとして出力され、スクリーンＳＣに映像信号Ｄoutにて表される映画の映像などを写し出す。
【００４７】
続いて、ステップＳ６において、「入力切替ボタン」の操作が有った場合の処理について説明する。
ステップＳ９では、制御部１８は、「入力切替ボタン」の操作により操作受付け部１７から操作信号が入力すると、記憶部１８から次に選択される映像ソース情報を引き当て、「Ｓビデオ」を選択するための選択コマンドを入力セレクタ８に送る。さらに、制御部１８は、記憶部１９から「Ｓビデオ」に対応するＬＥＤ３９を点滅表示させるための、点滅コマンドをＬＥＤ駆動部１６に送る。入力セレクタ８は、制御部１８からの選択コマンドにより、映像ソース「Ｓビデオ」を選択する。ＬＥＤ駆動部１６は、制御部１８からの点滅コマンドにより、ＬＥＤ３９を点滅表示させる。点滅周期は、例えば、２Hzである。
【００４８】
また、制御部１８は、映像ソース「Ｓビデオ」に該当するＯＳＤ表示情報をＯＳＤメモリ１４から引き当てるための情報を含んだＯＳＤコマンドを、点滅コマンドに同期して、映像補正部１３に送る。映像補正部１３は、制御部１８からのＯＳＤコマンドにより、映像信号Ｄoutで表される映像に「Ｓビデオ」という文字を重畳させる。この段階で、Ｓ端子３７には、何も接続されていないため、投写される映像は、例えば、主映像がデフォルト値の青色の無地表示であり、「Ｓビデオ」という文字が左上に黄色い文字で重畳される。
【００４９】
ステップＳ１０では、制御部１８は、操作部１またはリモコン２の「入力切替ボタン」の操作が行われたか否か、操作受付け部１７からの操作信号により判断する。操作が有った場合には、ステップＳ１３へ進む。ここでは、操作が無かったため、ステップＳ１１へ進む。
ステップＳ１１では、Ｓ端子３７に「Ｓビデオ」からの接続ケーブルが接続された。
ステップＳ１２では、接続された接続ケーブルを介して入力する「Ｓビデオ」からのＳ信号である映像信号Ｖinは、映像コンバータ１０、映像信号処理部１１などで映像信号処理を施された後、映像信号Ｄoutとして出力され、スクリーンＳＣに映像信号Ｄoutにて表されるビデオテープに録画された映像などを写し出す。
【００５０】
続いて、ステップＳ１０において、「入力切替ボタン」の操作が有った場合の処理について説明する。
ステップＳ１３では、制御部１８は、「入力切替ボタン」の操作により操作受付け部１７から操作信号が入力すると、記憶部１８から次に選択される映像ソース情報を引き当て、「ビデオ」を選択するための選択コマンドを入力セレクタ８に送る。さらに、制御部１８は、記憶部１９から「ビデオ」に対応するＬＥＤ４１を点滅表示させるための、点滅コマンドをＬＥＤ駆動部１６に送る。入力セレクタ８は、制御部１８からの選択コマンドにより、映像ソース「ビデオ」を選択する。ＬＥＤ駆動部１６は、制御部１８からの点滅コマンドにより、ＬＥＤ４１を点滅表示させる。点滅周期は、例えば、２Hzである。
【００５１】
また、制御部１８は、映像ソース「ビデオ」に該当するＯＳＤ表示情報をＯＳＤメモリ１４から引き当てるための情報を含んだＯＳＤコマンドを、点滅コマンドに同期して、映像補正部１３に送る。映像補正部１３は、制御部１８からのＯＳＤコマンドにより、映像信号Ｄoutで表される映像に「ビデオ」という文字を重畳させる。この段階で、１ＲＣＡ端子４０には、何も接続されていないため、投写される映像は、例えば、主映像がデフォルト値の青色の無地表示であり、「ビデオ」という文字が左上に黄色い文字で重畳される。
【００５２】
ステップＳ１４では、制御部１８は、操作部１またはリモコン２の「入力切替ボタン」の操作が行われたか否か、操作受付け部１７からの操作信号により判断する。操作が有った場合には、ステップＳ１へ戻る。ここでは、操作が無かったため、ステップＳ１５へ進む。
ステップＳ１５では、１ＲＣＡ端子４０に「ビデオ」からの接続ケーブルが接続された。
ステップＳ１６では、接続された接続ケーブルを介して入力する「ビデオ」のコンポジット信号である映像信号Ｖinは、映像コンバータ１０、映像信号処理部１１などで映像信号処理を施された後、映像信号Ｄoutとして出力され、スクリーンＳＣに映像信号Ｄoutにて表される録画中のＴＶ放送の映像などを写し出す。
【００５３】
上述した通り、本実施形態によれば以下の効果が得られる。
【００５４】
（１）プロジェクタ１００の制御部１８は、映像信号を出力する映像ソースが選択されると、選択された映像ソースに対応する入力端子近傍の発光体としてのＬＥＤ３３，３６，３９，４１を点滅させることから、どれが選択された映像ソースに対応する入力端子なのか迷ってしまう従来のリアプロジェクタと異なり、ＬＥＤ３３，３６，３９，４１の点滅により視覚的に選択された入力端子の位置を知らしめる。
従って、複数の入力端子の中から選択された映像信号を入力するための入力端子を容易に識別できる映像表示装置としてのプロジェクタ１００を提供することができる。
（実施形態２）
【００５５】
《映像信号有無によるＬＥＤ点灯態様》
続いて、本発明の第２の実施形態について説明する。図５は、プロジェクタ１００において、選択された映像ソースからの映像信号の入力の有無を識別するための動作フローチャートである。以下、図５を主体として、適宜図２、図３、図４を交えて説明する。
プロジェクタ１００の初期状態は、実施形態１での設定と同一である。また、実施形態１での説明と重複する部分は省略して説明する。
【００５６】
ステップＳ２１は、図４のステップ１と同様である。ステップＳ２１により、入力セレクタ８は、制御部１８からの選択コマンドにより、映像ソース「コンピュータ」を選択する。ＬＥＤ駆動部１６は、制御部１８からの点滅コマンドにより、ＬＥＤ３３を点滅表示させる。映像補正部１３は、制御部１８からのＯＳＤコマンドにより、映像信号Ｄoutで表される映像に「コンピュータ」という文字を重畳させる。
この段階で、Ｄsub端子３１には、何も接続されていないため、投写される映像は、例えば、主映像がデフォルト値の青色の無地表示であり、「コンピュータ」という文字が左上に黄色い文字で重畳されている。
【００５７】
ステップＳ２２は、図４のステップＳ２と同様である。ステップＳ２２により、制御部１８は、操作部１またはリモコン２の「入力切替ボタン」の操作が行われたか否か、操作受付け部１７からの操作信号により判断する。操作が有った場合には、ステップＳ２７へ進む。ここでは、操作が無かったため、ステップＳ２３へ進む。
【００５８】
ステップＳ２３では、Ｄsub端子３１に「コンピュータ」からの接続ケーブルが接続された。
ステップＳ２４では、判別部９は、入力セレクタ８が選択している「コンピュータ」に対応する映像信号Ｖinの有無を、例えば、映像信号と同期して送られて来る同期信号の有無により常時判別し、映像信号Ｖinの有無を伝える判別信号を制御部１８に送る。映像信号Ｖinの入力が無いと判別されたときには、ステップＳ２２へ戻る。ここでは、映像信号Ｖinの入力が有ると判別されたため、ステップＳ２５へ進む。
【００５９】
ステップＳ２５では、制御部１８は、判別部９からの判別信号により、映像信号Ｖinの入力が有ると判断し、記憶部１９のＬＥＤ点灯態様データから、映像信号Ｖinの入力が有る場合の点灯態様を読み出し、ＬＥＤ駆動部１６にＬＥＤ３３を点灯させるための点灯コマンドを送る。ＬＥＤ駆動部１６は、制御部１８からの点灯コマンドに従い、ＬＥＤ３３を点滅から点灯に切替える。なお、ここでは点灯態様を点滅から点灯に切替えたが、点灯に限定するものではなく、接続ケーブルが接続される前の点灯態様と異なる点灯態様であれば良い。例えば、点滅の周期を変化させることとしても良い。
ステップＳ２６では、ＬＥＤ３３の点灯表示と略同期して、入力映像信号Ｖinは、映像コンバータ１０、映像信号処理部１１などで映像信号処理を施された後、映像信号Ｄoutとして出力され、スクリーンＳＣに映像信号Ｄoutにて表されるプレゼンテーション映像などを写し出す。
【００６０】
続いて、ステップＳ２４において、映像信号Ｖinの入力が無いと判別された場合について説明する。
映像信号Ｖinの入力が無いと判別されたときには、ステップＳ２２へ戻るが、映像信号が入力されない原因としては、接続ケーブルの挿入不良や、映像ソースとしてのＰＣなどの設定不備による映像信号の出力無しなどが想定される。このような原因により、映像信号Ｖinの入力が無いと判別されたときには、ステップＳ２２へ戻り、ＬＥＤ３３の点滅を継続し、接続ケーブルの接続状態などの再確認を促す。
【００６１】
続いて、ステップＳ２２で、操作部１またはリモコン２の「入力切替ボタン」の操作が有った場合について説明する。「入力切替ボタン」の操作が有った場合、ステップＳ２７の入力切替ルーチンの第１ステップである図４のステップＳ５へ進み、映像ソース「コンポーネントビデオ」が選択される。
ステップＳ２７の入力切替ルーチンは、図４のステップＳ１「コンピュータ」→ステップＳ５「コンポーネントビデオ」→ステップＳ９「Ｓビデオ」→ステップＳ１３「ビデオ」という４段階でサイクリックに切り替る。
以下、図示しないが、図４のステップＳ５を起点として、図５のステップＳ２３〜２６に相当するステップがあり、同様に、ステップＳ９、Ｓ１３にも、図５のステップＳ２３〜２６に相当するステップが存在する。
【００６２】
上述した通り、実施形態２によれば実施形態１の効果に加えて以下の効果が得られる。
【００６３】
（１）特許文献２のテレビ受信機においては、どの入力端子から映像信号が入力しているか常時検出し、検出されれば例えばＯＳＤ機能により子画面で表示することができるが、接続端子を接続した後で表示画面を見ないと映像信号が入力されているかどうか解らないため、例えば、入力端子が画面の背面に設置されている場合、確認者が信号の入力確認のために都度画面側に移動して画面を確認しなければならなかった。
プロジェクタ１００の制御部１８は、判別部９から映像信号Ｖinの入力が有ることを示す判別信号を受信すると、ＬＥＤ３３，３６，３９，４１の点滅を点灯に切替えることから、表示画面を見ないと映像信号が入力されているかどうか解らない従来のテレビ受信機と異なり、入出力端子部３のＬＥＤ３３，３６，３９，４１の点滅から点灯への切替えにより視覚的に選択された入力端子への映像信号の入力の有無を知らしめる。よって、従来のテレビ受信機のように、信号の入力確認のために確認者が都度画面側に移動して画面を確認する必要はなく、入出力端子部３のＬＥＤの点灯状態を確認するだけで、映像信号の入力の有無を把握することができる。
従って、映像信号が入力端子に入力しているかどうかを容易に判別できるプロジェクタ１００を提供することができる。
【００６４】
（実施形態３）
【００６５】
《入出力端子部の第２の態様におけるＬＥＤ点灯の詳細》
続いて、本発明の第３の実施形態について説明する。図６は、プロジェクタ１００の入出力端子部の第２の態様を示した図である。以下、図６を主体として、適宜図２、図３、図４、図５を交えて説明する。また、実施形態１および２での説明と重複する部分は省略して説明する。
【００６６】
入出力端子部６０は、Ｄsub端子６１，６２、ＬＥＤ６３，６４、Ａｕｄｉｏ端子６５、Ｓ端子６６、ＬＥＤ６７，１ＲＣＡ端子６８、ＬＥＤ６９、Ａｕｄｉｏ端子７０、ＵＳＢ端子７１、ＲＳ２３２Ｃ端子７２、Ｄsub端子７３などを備えている。
入出力端子部６０にて区分される映像ソースは、基本的に「コンピュータ」、「コンポーネントビデオ」、「Ｓビデオ」、「ビデオ」の４種類であるが、後述するＤsub端子６１，６２が、映像ソース「コンピュータ」に加えて、「コンポーネントビデオ」に対応可能な構成となっているため「コンピュータ」と、「コンポーネントビデオ」については、実施形態１での構成と比較してそれぞれが１入力ずつ追加となっている。ここでは、区分けするため、Ｄsub端子６１にて選択可能な映像ソースをそれぞれ「コンピュータ１」、「コンポーネントビデオ１」とし、Ｄsub端子６２にて選択可能な映像ソースをそれぞれ「コンピュータ２」、「コンポーネントビデオ２」として説明する。
【００６７】
Ｄsub端子６１，６２は、ミニＤ-sub１５ピン端子であり、アナログＲＧＢ信号に加えて、コンポーネント信号にも対応している。アナログＲＧＢ信号と、コンポーネント信号とでは、Ｄsub端子の１５ピンの信号線の使用割り当てが異なっている。判別部９は、例えば、特定のピンから入力される映像信号などの有無により、入力された映像信号Ｖinの種類および、信号の有無を常時判別し、映像信号の有無および種類を示す判別信号を制御部１８に送る。
ＬＥＤ６３，６４は、それぞれの個体内に、緑色の発光チップと、橙色の発光チップとの２つの発光チップを備えた、緑色または橙色の発色を選択可能なＬＥＤ素子である。ＬＥＤ６３，６４は、それぞれが、対応するＤsub端子６１，６２近傍の上方に設けられている。
Ａｕｄｉｏ端子６５は、ステレオミニジャックであり、Ｄsub端子６１と、６２とで共用に設けられている。
【００６８】
Ｄsub端子６１と、Ａｕｄｉｏ端子６５とのセットで、選択された映像ソース「コンピュータ１」、または「コンポーネントビデオ１」からの映像と音声との入力ができる。
Ｄsub端子６２と、Ａｕｄｉｏ端子６５とのセットで、選択された映像ソース「コンピュータ２」、または「コンポーネントビデオ２」からの映像と音声との入力ができる。
【００６９】
図６において、Ｄsub端子６１には、「コンピュータ１」のアナログＲＧＢ信号を入力する接続ケーブル７５が、挿入されている。ＬＥＤ６３は、Ｄsub端子６１近傍の上方に設けられているため、接続ケーブル７５が挿入されていても、表に現れている。なお、ＬＥＤ６３の設置位置は、Ｄsub端子６１近傍の上方に限定するものではなく、接続ケーブル７５が挿入されたときに視認可能な場所であれば良い。例えば、Ｄsub端子６１の横に設けることとしても良い。
【００７０】
Ｓ端子６６は、Ｓ端子であり、Ｓ信号に対応している。ＬＥＤ６７は、緑色の発光をするＬＥＤであり、Ｓ端子６６近傍の上部に設けられている。
１ＲＣＡ端子６８は、１ＲＣＡ端子であり、コンポジット信号に対応している。ＬＥＤ６９は、緑色の発光をするＬＥＤであり、１ＲＣＡ端子６８近傍の上方に設けられている。
Ａｕｄｉｏ端子７０は、ステレオミニジャックであり、Ｓ端子６６と、１ＲＣＡ端子６８とで共用に設けられている。
Ｓ端子６６と、Ａｕｄｉｏ端子７０とのセットで、選択された映像ソース「Ｓビデオ」からの映像と音声との入力ができる。
１ＲＣＡ端子６８と、Ａｕｄｉｏ端子７０とのセットで、選択された映像ソース「ビデオ」からの映像と音声との入力ができる。
【００７１】
ＵＳＢ端子７１と、ＲＳ２３２Ｃ端子７２とは、それぞれ外部ＰＣとの情報の授受を行うための、ＵＳＢ端子、ＲＳ２３２Ｃ端子である。
Ｄsub端子７３は、プロジェクタ１００にて投写されている映像を外部出力するための、ミニＤ-sub１５ピン端子である。また、プロジェクタ１００の設定を変えることにより、映像ソース「コンピュータ」の入力端子とすることも可能である。
【００７２】
このような、第２の態様の入出力端子部６０による構成を備えたプロジェクタ１００において、実施形態１で説明した図４の映像ソースの入力切替え時の動作フローチャートおよび、実施形態２で説明した図５の選択された映像ソースからの映像信号の有無を識別するための動作フローチャートを適応した場合について、点灯部としてのＬＥＤの点灯態様を中心に説明する。
【００７３】
映像ソースで表すと、「コンピュータ１」→「コンポーネントビデオ１」→「コンピュータ２」→「コンポーネントビデオ２」→「Ｓビデオ」→「ビデオ」という６段階でサイクリックに切り替る。ステップＳ１でデフォルト選択されている映像ソースは、「コンピュータ１」である。図４において、操作部１、またはリモコン２の「入力切替ボタン」の操作により選択される分岐ステップ数は、ステップＳ１→Ｓ５→Ｓ９→Ｓ１３→（２ステップ追加：図示せず）という６段階となる。
ＬＥＤ６３，６４は、緑色と橙色の２色の発光が可能なため、例えば、「コンピュータ」入力のときは、橙色で発光し、「コンポーネントビデオ」入力のときは、緑色で発光するような、ＬＥＤ点灯態様データを記憶部１９に記憶させておく。
なお、以下説明において、実施形態１，２での説明を引用している箇所については、図３の入出力端子部３の入力端子名、ＬＥＤ名で説明されている部分などを、適宜、図６の入力端子部６０にて該当する入力端子名、ＬＥＤ名などに読み替えるものとする。
【００７４】
図４、ステップＳ１において、制御部１８は、判別部９からの映像信号の有無および種類を示す判別信号により、記憶部１９からＬＥＤ点灯態様データを読み出し、ＬＥＤ駆動部１６に、ＬＥＤ６３を橙色で点滅させるための点滅コマンドを送る。ＬＥＤ駆動部１６は、制御部１８からの点滅コマンドに従い、「コンピュータ１」に対応するＤsub端子６１上部のＬＥＤ６３を橙色で点滅させる。
ステップＳ２から、ステップＳ４の説明は実施形態１での説明と同様である。
また、ステップＳ２で、「入力切替ボタン」の操作が有った場合は、ステップＳ５では、映像ソース「コンポーネントビデオ１」が選択され、ＬＥＤ駆動部１６は、制御部１８からの緑色の点滅コマンドに従い、ＬＥＤ６３を、橙色の点滅から緑色の点滅に切替える。
以下、ステップＳ５→Ｓ９→Ｓ１３→（２ステップ追加）と、「入力切替ボタン」の操作が有った場合は、前述した６段階の映像ソース切替えに伴い、それぞれの映像ソースに対応する入力端子近傍のＬＥＤが点滅する。
【００７５】
図５のステップＳ２１において、実施形態２での説明と異なる点は、入力端子名などの差異を除いて、ＬＥＤ６３が橙色で点滅していることと、ＯＳＤ表示が「コンピュータ１」となっていることである。
以下、ステップＳ２２からステップＳ２６の流れは実施形態２と同様である。ステップＳ２５において、ＬＥＤ駆動部１６は、制御部１８からの点灯コマンドに従い、「コンピュータ１」に対応するＤsub端子６１上部のＬＥＤ６３を橙色の点滅から、点灯に切替える。
【００７６】
上述した通り、実施形態３によれば実施形態１，２の効果に加えて以下の効果が得られる。
【００７７】
（１）ＬＥＤ６３，６４は、それぞれの個体毎に緑色および橙色を発色可能であることから、点灯または点滅により、選択された入力端子の位置および入力端子への映像信号の入力の有無を知らしめることに加えて、色調により映像ソースの種類を知らしめる。
従って、ＬＥＤ６３，６４の色調および点灯態様により、映像ソースの種類、選択された入力端子の位置および入力端子への映像信号の入力の有無を知らしめることが可能なプロジェクタ１００を提供することができる。
【００７８】
（２）ＬＥＤ６３は、Ｄsub端子６１近傍の上方に設けられているため、接続ケーブル７５が挿入されていても、表に現れている。よって、ユーザーが接続ケーブル７５をＤsub端子６１へ接続するときに、プロジェクタ１００の背面上方から入出力端子部６０を眺めると、接続ケーブル７５により視界を妨げられることなく、ＬＥＤ６３を視認することができる。
また、入出力端子部６０が薄暗い場所に位置していたとしても、ＬＥＤの発する光により、選択された入力端子の位置を容易に視認することができる。
従って、接続ケーブルにより視界を妨げられることなく、視認性が良い、選択された入力端子の位置および入力端子への映像信号の入力の有無を知らしめることが可能なプロジェクタ１００を提供することができる。
【００７９】
なお、本発明は上述した実施形態に限定されず、上述した実施形態に種々の変更や改良などを加えることが可能である。変形例を以下に述べる。
【００８０】
（変形例１）
前記各実施形態において、映像ソースの区分は「コンピュータ」、「コンポーネントビデオ」、「Ｓビデオ」、「ビデオ」の４種類であったが、映像ソースの種類はいくつであっても良い。例えば、さらに、映像ソースとして「デジタルビデオ」を加え、図３の入出力端子部３にＩＥＥＥ１３９４（Institute of Electrical and Electronic Engineers 1394）端子と、端子近傍に対応するＬＥＤを追加して、デジタルビデオカメラからのデジタル映像信号を入力可能な構成としても良い。
【００８１】
また、各映像ソースにおける入力端子は、各実施形態に記載した型式の入力端子に限定するものではなく、各映像ソースに対応した入力端子であれば良い。例えば、「コンポーネントビデオ」において、入力端子を３本の信号線からなる３ＲＣＡ端子で構成しても良い。
また、ＬＥＤを設ける端子は入力端子に限定するものではなく、例えば、図６におけるＵＳＢ端子７１や、ＲＳ２３２Ｃ７２、Ｄsub端子７３のそれぞれの近傍にＬＥＤを設ける構成としても良い。この構成の場合、外部機器との通信などのモード選定がなされたときに、該当する入出力または通信端子近傍のＬＥＤを点滅または点灯させる。
これらの構成によっても、前記各実施形態と同様の効果を得ることができる。
【００８２】
（変形例２）
前記各実施形態において、映像表示装置は、投写型のプロジェクタ１００として説明したが、これに限定するものではなく、複数の入出力端子を備えた映像表示装置であれば良い。例えば、パーソナルコンピュータ、液晶テレビ、プラズマテレビ、有機ＥＬディスプレイなどの表示部を備えたＴＶ受信機、リアプロジェクタなどにも適応することができる。
特に、リアプロジェクタのように、映像表示装置本体と表示部とが一体となって構成されている場合、表示部の背面からは表示されている映像を見ることが困難であるため、例えば、入出力端子部近傍での作業中に、映像ソースの選択状況などを確認するのにわざわざ正面に移動して画面のＯＳＤ表示を覗き込むこともあった。一般的に、このような映像表示装置の入出力端子部は、映像ソースとしての外部電子機器からの接続ケーブルの納まりの良さを考慮して、通常の設置状態において映像表示装置の背面の下側に設けられていることが多い。
【００８３】
また、複数の入力端子が配置されている映像表示装置の背面は、例えば、映像表示装置が設置されている部屋の壁面に接し、その下側ともなると部屋の照明を点けても薄暗いような場所であることが多いため、入力端子の形状や、近傍に記載されている対応映像ソース名も認識できないこともある。
このような映像表示装置に本発明を適用すると、入出力端子部のＬＥＤ表示にて映像ソースの選択状況などを把握することができるため、前記のリアプロジェクタのように、画面側に移動してＯＳＤ表示を覗き込む必要もない。さらに、前記リアプロジェクタの入力端子のように、入出力端子部が薄暗い場所に位置していたとしても、ＬＥＤの発する光により、選択された入力端子の位置を容易に視認することができる。
従って、接続ケーブルにより視界を妨げられることなく、視認性が良い、選択された入力端子の位置および入力端子への映像信号の入力の有無を知らしめることが可能な映像表示装置を提供することができる。
【００８４】
（変形例３）
前記各実施形態において、プロジェクタ１００は、光変調素子として３枚の液晶ライトバルブを用いた液晶３板式の投写型プロジェクタとして説明したが、これに限定するものではない。例えば、赤、緑、青色のカラーフィルタと、前記カラーフィルタと重畳するように設けられた各色光ごとの液晶セルと、から構成される１画素に相当する部位が、表示画面の解像度に応じて規則的に配置された単板の液晶ライトバルブを用いる構成としても良い。また、光変調素子として反射型液晶表示装置や、ティルトミラーデバイスを用いる構成としても良い。これらの構成であっても、前記各実施形態と同様の効果を得ることができる。
【図面の簡単な説明】
【００８５】
【図１】一実施形態におけるプロジェクタの使用概要図。
【図２】プロジェクタの概略構成図。
【図３】入出力端子部の第１の態様についての概要図。
【図４】映像ソースの入力切替え時の動作フローチャート。
【図５】映像信号の入力有無の識別動作フローチャート。
【図６】入出力端子部の第２の態様についての概要図。
【符号の説明】
【００８６】
操作部…１、操作部としてのリモコン…２、複数の入力端子を備える入出力端子部…３、光源部としてのランプ…６、光変調素子としての液晶ライトバルブ…７Ｒ、７Ｇ、７Ｂ、入力セレクタ…８、判別部…９、映像コンバータ…１０、映像信号処理部…１１、映像メモリ…１２、映像補正部…１３、ＯＳＤメモリ…１４、液晶パネル駆動部…１５、ＬＥＤ駆動部…１６、操作受付け部…１７、制御部…１８、記憶部…１９、電源部…２０、ランプ駆動部…２１、光学部…２２、投写レンズ２６、入力端子…３１、３４、３７、４０、発光体としてのＬＥＤ…３３、３６、３９、４１。
【図１】
2006133557.tif 000003
【図２】
2006133557.tif 000004
【図３】
2006133557.tif 000005
【図４】
2006133557.tif 000006
【図５】
2006133557.tif 000007
【図６】
2006133557.tif 000008